(57)【特許請求の範囲】
【請求項１】
接続端子に接続した電線に挿着して該電線と共にハウジングの端子収容孔に圧入する電線シール部材であり、円筒状の合成樹脂から成る芯材とシール機能を有する弾性部材とから成り、前記芯材の前端部及び中央部の内外両面に前記弾性部材を被着し、前記芯材の前端部に前記接続端子の圧着部を固定し、前記弾性部材を被着しない前記芯材の後端部に長手方向に複数の切込部を設け、前記端子収容孔内に圧入した場合に前記後端部を前記ハウジングの外部後方に延在することを特徴とする電線シール部材。
【請求項２】
前記芯材の後端部の外周に、前記後端部を把持し易くするためのリブを形成したことを特徴とする請求項１に記載の電線シール部材。
【請求項３】
前記芯材の後端部の内壁に、電線を押さえ付けるための突起状の電線押さえ部を形成したことを特徴とする請求項１又は２に記載の電線シール部材。
【請求項４】
前記芯材の後端部の前記中央部寄りにテーパ部を形成し、該テーパ部により前記芯材の前記ハウジングへの挿入状態を確認するようにしたことを特徴とする請求項１〜３の何れか１つの請求項に記載の電線シール部材。
【請求項５】
前記弾性部材は合成ゴムとしたことを特徴とする請求項１〜４の何れか１つの請求項に記載の電線シール部材。
【発明の詳細な説明】
【技術分野】
【０００１】
本発明は、例えば自動車のワイヤハーネスのコネクタに使用され、ハウジング内への水の浸入を防止するための電線シール部材に関するものである。
【背景技術】
【０００２】
図５に示すように、従来の電気コネクタのハウジング１には複数の端子収容孔２が設けられおり、これらの端子収容孔２には電線３を後部に接続した接続端子４が収容されている。そして、端子収容孔２と電線３の間には、電線３に挿着されたシール部材５が圧入され、外部からハウジング１内への水の浸入を防止している。
【発明の開示】
【発明が解決しようとする課題】
【０００３】
しかしながら、端子収容孔２に接続端子４を挿入する際に、電線３が硬かったり短い場合には電線３を把持し難いために、例えば接続端子４を正しい方向に回転させながら挿入することが困難である。
【０００４】
また、ハウジング１に接続端子４の挿入した状態でハウジング１の端部で電線３を根元から急激に折り曲げると、シール部材５と電線３の間、或いはシール部材５と端子収容孔２の間に隙間が生じ、水が浸入し易くなる虞れがある。
【０００５】
本発明の目的は、上述の問題点を解消し、硬かったり短い電線でも確実に把持することができると共に、電線がハウジングの端部で容易に折り曲がり難い電線シール部材を提供することにある。
【課題を解決するための手段】
【０００６】
上記目的を達成するための本発明に係る電線シール部材は、接続端子に接続した電線に挿着して該電線と共にハウジングの端子収容孔に圧入する電線シール部材であり、円筒状の合成樹脂から成る芯材とシール機能を有する弾性部材とから成り、前記芯材の前端部及び中央部の内外両面に前記弾性部材を被着し、前記芯材の前端部に前記接続端子の圧着部を固定し、前記弾性部材を被着しない前記芯材の後端部に長手方向に複数の切込部を設け、前記端子収容孔内に圧入した場合に前記後端部を前記ハウジングの外部後方に延在することを特徴とする。
【発明の効果】
【０００７】
本発明に係る電線シール部材は、芯材の後端部を延在して切込部を設けることにより電線を芯材を介して把持することができると共に、ハウジング外における電線の急激な折り曲がりを防止できる。
【発明を実施するための最良の形態】
【０００８】
本発明を図１〜図４に図示の実施例に基づいて詳細に説明する。
図１は例えば自動車のワイヤハーネスに使用されている合成樹脂製のコネクタハウジング１１の断面図を示しており、このハウジング１１内には、複数の端子収容孔１２が例えば上下２段に形成されている。端子収容孔１２の後部の断面形状は略円形とされ、端子収容孔１２内には係止爪１３を有する可撓アーム１４が斜め前方に向けて形成されている。
【０００９】
端子収容孔１２には、電線１５を後部に接続した接続端子１６が収容され、可撓アーム１４の係止爪１３によりハウジング１１から抜け出さないように係止されている。電線１５の被覆１７上には、防水のために略円筒状のシール部材１８が挿着されており、被覆１７上に密着すると共に端子収容孔１２の後部の周壁部にも密着されている。
【００１０】
図２はシール部材１８の斜視図、図３はその断面図をそれぞれ示しており、シール部材１８は合成樹脂材から成る円筒状の芯材２１の中央部の内外面に例えば合成ゴムから成る弾性部材２２が射出成型により張り付けられている。芯材２１には複数の孔部２３が設けられていて、弾性部材２２は内外面において一体化され、更に内外両面には水が浸入し難くするための波形形状部２４、２５が設けられている。
【００１１】
芯材２１の前端部は弾性部材２２により覆われ、先端に弾性部材２２から成る環状部２６を有する円筒部２７とされ、図４に示すように接続端子１６の被覆圧着部１６ａがかしめられ、シール部材１８が接続端子１６から抜け難くなるようにされている。また、弾性部材２２が被着されず、ハウジング１１内に収容しない芯材２１の後端部２８には、後方から長手方向に２本の切込部２９が形成されている。更に、芯材２１の後端部２８の外周には、芯材２１を把持し易くするための複数本のリブ３０が形成され、更に後端部２８の内壁には、電線１５を押さえるための半球状の電線押さえ部３１が内方に突出されている。また、芯材２１の後端部２８と弾性部材２２との間の表面に、後方に向けて拡開するテーパ部３２が形成されている。
【００１２】
このようにして構成した電線シール部材は、接続端子１６を端子収容孔１２に挿入するに際して、芯材２１の後端部２８をつまんで図４の矢印に示すように押さえ付けることによって電線１５を把持し、接続端子１６をハウジング１１の端子収容孔１２に正しい向きで容易に挿入できる。
【００１３】
また、後端部２８の存在のために電線１５がハウジング１１の外部で急激に折り曲がることはない。更に、テーパ部３２がハウジング１１内に隠れて見えなければ、接続端子１６が正しい位置まで挿入されたことを確認できる。
【００１４】
また何らかの理由で、接続端子１６をハウジング１１から抜き出す必要が生じた場合には、治具により係止爪１３による接続端子１６への係止を外し、シール部材１８の後端部２８を把持して接続端子１６をハウジング１１の後方に引き出すことができる。なお、芯材２１の後端部２８に設けた切込部２９は２本とは限らず、３本以上としてもよい。
【図面の簡単な説明】
【００１５】
【図１】接続端子をハウジングに圧入した状態の断面図である。
【図２】電線シール部材の斜視図である。
【図３】断面図である。
【図４】接続端子に電線を取り付けた状態の断面図である。
【図５】従来例の接続端子をハウジングに圧入した状態の断面図である。
【符号の説明】
【００１６】
１１  ハウジング
１２  端子収容孔
１５  電線
１６  接続端子
１７  被覆
１８  シール部材
２１  芯材
２２  弾性部材
２８  後端部
２９  切込部
３０  リブ
３１  電線押さえ部
３２  テーパ部
【図１】
0004763427.tif 000002
【図２】
0004763427.tif 000003
【図３】
0004763427.tif 000004
【図４】
0004763427.tif 000005
【図５】
0004763427.tif 000006